(57)【要約】【課題】圧縮機の保守点検作業時に十分な作業スペースを確保できるようする。【解決手段】排気ファン１３、熱交換器１４、圧縮機１６等を内部に備え、且つ圧縮機１６を防音筺体１５で覆った空気調和機の室外機において、防音筺体１５を、前板１５１、左前側板１５２、左後側板１５３、前天板１５４、後天板１５５、背板１５６、右後側板１５７、右前側板１５８で構成する。後天板１５５には、前縁に配管、配線等を位置させるための切欠部１５５ａと下側に曲折したフランジ１５５ｃを形成する。【選択図】図５
2010121851.tif 000002
【特許請求の範囲】
【請求項１】
熱交換器、排気ファン、圧縮機等を内部に備え、且つ前記圧縮機を防音筺体で覆った空気調和機の室外機において、
前記防音筺体を、前板、天板、左側板、右側板、および背板で構成し、
且つ前記天板を、前縁に配管、配線等を位置させるための切欠部を形成した着脱自在の後天板と、該後天板の前縁を閉じるように取り付けられる着脱自在の前天板とで構成したことを特徴とする空気調和機の室外機。
【請求項２】
前記後天板の前記前縁の前記切欠部が形成されていない箇所の少なくと一部に、下側に曲折したフランジを形成したことを特徴とする請求項１に記載の空気調和機の室外機。
【発明の詳細な説明】
【技術分野】
【０００１】
本発明は、圧縮機の防音対策を施した空気調和機の室外機に関するものである。
【背景技術】
【０００２】
空気調和機の室外機には、熱交換機、排気ファン、圧縮機等が組み込まれているが、圧縮機は大きな騒音を発生するので、従来から騒音対策が取られてきた。すなわち、圧縮機を囲むように防音筺体（隔壁）を設けて、その圧縮機が発生する騒音を遮蔽することが行われてきた（例えば、特許文献１参照）。
【特許文献１】特開２００７−１００９８５号公報
【発明の開示】
【発明が解決しようとする課題】
【０００３】
ところが、圧縮機の周囲には複雑に配管等が配置されるので、圧縮機の保守点検作業時に防音筺体の前板を開いて作業する際に、作業スペースが狭いという問題があった。例えば、圧縮機の交換作業では、配管の溶接が必要となるが、作業スペースが狭いと周囲部品（吸音材、配管断熱材、エッジ保護ブッシュ等）に溶接の炎が当り、延焼してしまう可能性があった。
【０００４】
本発明の目的は、圧縮機の保守点検作業時に十分な作業スペースを確保できるようにして、上記した問題を解決した空気調和機の室外機を提供することである。
【課題を解決するための手段】
【０００５】
上記目的を達成するために、請求項１にかかる発明は、熱交換器、排気ファン、圧縮機等を内部に備え、且つ前記圧縮機を防音筺体で覆った空気調和機の室外機において、前記防音筺体を、前板、天板、左側板、右側板、および背板で構成し、且つ前記天板を、前縁に配管、配線等を位置させるための切欠部を形成した着脱自在の後天板と、該後天板の前縁を閉じるように取り付けられる着脱自在の前天板とで構成したことを特徴とする。
請求項２にかかる発明は、請求項１に記載の空気調和機の室外機において、前記後天板の前記前縁の前記切欠部が形成されていない箇所の少なくと一部に、下側に曲折したフランジを形成したことを特徴とする。
【発明の効果】
【０００６】
本発明によれば、防音筺体の天板を、前縁に配管、配線等を位置させる切欠部を形成した着脱自在の後天板と、該後天板の前縁を閉じるように取り付けられる着脱自在の前天板とで形成したことことにより、前板のみならず、後天板と前天板も取り外すことができるので、防音筺体内の圧縮機の正面ばかりか上面も完全に開放され、作業スペースが広くなる。このため、例えば、圧縮機の交換作業で配管の溶接が必要となる際、周囲部品（吸音材、配管断熱材、エッジ保護ブッシュ等）に溶接の炎が当ることを防止できる。また、後天板の前縁にフランジを形成することにより、その後天板を背板側にスライドさせそのフランジを引っ掛けておくことができ、後天板の着脱作業も容易となる。
【発明を実施するための最良の形態】
【０００７】
以下、本発明の室外機の実施例について説明する。図１は空気調和機の室外機１０の正面パネルを取り外した斜視図、図２は室外機１０の内部の防音筺体の周囲部分を示す上面図、図３はその防音筺体の前板、左前側板、前天板を取り外した斜視図、図４は防音筺体のさらに右前側板を取り外した平面図、図５は同斜視図、図６はさらに後天板を取り外した斜視図、図７は防音筺体の右前側板と右後側板の斜視図、図８は後天板の係止の説明図である。
【０００８】
図１において、１１は正面パネルを取り外した正面であり、その左右側面および背面には吸込口１２が設けられ、上面には排気ファン１３を備えた吹出口が設けられている。また、内壁の左右側面と背面には、吸込口１２に対応して熱交換機１４が縦配置されている。１５は圧縮機１６を覆うように取り付けられた防音筺体であり、室外機１０の本体ケースの底板１７上に設けられている。
【０００９】
この防音筺体１５は、前板１５１、左前側板１５２、左後側板１５３、前天板１５４、後天板１５５、背板１５６、右後側板１５７、および右前側板１５８からなり、圧縮機１６の周囲および上面を覆う形状となっており、内壁にはＣＲゴム、多孔質材料等の吸音材１５９（図７でのみ示した）が貼付されている。左前側板１５２と左後側板１５３は左側板を構成し、前天板１５４と後天板１５５は天板を構成し、右後側板１５７と右前側板１５８は右側板を構成する。左後側板１５３、右後側板１５７、背板１５６は、それぞれ個々に板金で形成しても、あるいは１枚板金を曲折して形成しても良い。
【００１０】
後天板１５５には、圧縮機１６に接続する配管等を挿通させる、つまり配管３１や配線から逃げるための切欠部１５５ａがその前縁に複数箇所形成されている。また、配線のみを通過させるための貫通孔１５５ｂも複数箇所形成されている。さらに、この後天板１５５の前縁の切欠部１５５ａが形成されていない箇所（図３、図５では両端部分）に、下側に曲折したフランジ１５５ｃが形成されている。このフランジ１５５ｃは、前天板１５４のフランジ１５４ａとのネジ止め用であるが、後記するように、後天板１５５を後方にスライドさせて背板１５６の上端に係止させるためにも使用される（図８）。
【００１１】
右後側板１５７には、その前縁の上下位置に、切り込みと折り曲げにより切起爪１５７ａが形成され、右前側板１５８の後縁部がその切起爪１５７ａに対して、右後側板１５７に平行に、つまり前後方向にスライド着脱可能となっている（図３、図７）。
【００１２】
さて、本実施例の防音筺体１５の左前側板１５２、左後側板１５３、前天板１５４、後天板１５５、背板１５６、および右後側板１５７は、ネジで締結することにより、本体ケースの底板１７上に組み立てられる。右前側板１５８は、その後縁部が右後側板１５７の切起爪１５７ａに対して嵌め込まれる（図３）。そして、この右前側板１５８を嵌め込んだ後に、前板１５１と前天板１５４をネジにより取り付けることにより、防音筺体１５が圧縮機１６の上面および周囲を覆うよう組み立てられる。なお、左前側板１５２は左後側板１５３との関係を右前側板１５８と同様な嵌め込み構造としてもよい。
【００１３】
一方、圧縮機１６の保守点検時には、ネジを外すことで、前板１５１、前天板１５４、左前側板１５２を取り外し、右前側板１５８を前方に引き抜けば、圧縮機１６の正面と上面の一部と左右側面の大部分が開放される（図４、図５）。なお、左前側板１５２と左後側板１５３との関係を右前側板１５８と同様な嵌め込み構造としたときは、その左前側板１５２は前方に引き抜けばよい。さらに、後天板１５５を後方にずらして、図８(b)に示すように、前縁のフランジ１５５ｃを背板１５６の上縁に係止させれば、圧縮機１６の上面も完全に開放される。この後天板１５５は、前縁の切欠部１５５ａ内に配管３１や配線３２が位置しているので、前方に引き出すことは困難であるが、後方にずらして、フランジ１５５ｃを背板１５６の上縁に係止させるので、防音筺体１５内に設置されている機器のメンテナンスが容易となる。
【００１４】
以上のようにして、防音筺体１５の前面、左右側面、および上面を開放させてから、圧縮機１６の保守点検の作業を行う。例えば圧縮機１６に接続された配管３１の溶接を行う際には、溶接機を圧縮機１６の正面や左右側面から入れることは勿論、上面からも入れることができるため、その圧縮機１６の裏側からも炎を当てることができ、周囲部品（吸音材、配管断熱材、エッジ保護ブッシュ等）に溶接の炎が当ることを防止しながら、必要な溶接を行うことができる。また、上面が開放されているので、取り外した圧縮機１６を上方に持ち上げる距離を長くすることが可能となる。さらに、圧縮機１６の背面側や奥の配管や配線作業も容易となる。
【図面の簡単な説明】
【００１５】
【図１】本発明の実施例の室外機の正面パネルを取り外した斜視図である。
【図２】防音筺体の上面部分を示す図である。
【図３】防音筺体の前板、左前側板、前天板を取り外した斜視図である。
【図４】防音筺体の前板、左前側板、前天板、右前側板を取り外した平面図である。
【図５】防音筺体の前板、左前側板、前天板、右前側板を取り外した斜視図である。
【図６】防音筺体の前板、左前側板、前天板、後天板、右前側板を取り外した斜視図である。
【図７】防音筺体の右前側板と右後側板の斜視図である。
【図８】(a)、(b)は防音筺体の後天板の係止の説明図である。
【符号の説明】
【００１６】
１０：室外機
１１：正面、１２：吸込口、１３：排気ファン、１４：熱交換機、１５：防音筺体、１６：圧縮機、１７：本体ケースの底板
１５１：防音筺体の前板、１５２：左前側板、１５３：左後側板、１５４：前天板、１５５：後天板、１５６：背板、１５７：右後側板、１５８：右前側板、１５９：吸音材
１５５ａ：切欠部、１５５ｂ：貫通孔、１５５ｃ：フランジ
１５７ａ：切起爪
３１：配管
【図１】
2010121851.tif 000003
【図２】
2010121851.tif 000004
【図３】
2010121851.tif 000005
【図４】
2010121851.tif 000006
【図５】
2010121851.tif 000007
【図６】
2010121851.tif 000008
【図７】
2010121851.tif 000009
【図８】
2010121851.tif 000010